(57)【要約】      （修正有）【課題】  保管及び搬送に於いては偏平に折畳みが出来、使用組立構成時に於いては簡便な操作によって強度を有する連続した側壁の起立形成と安定した係止が可能で、且つ製造工程に於いては貼着工程の省力化が可能で経済性にも優れた組立紙函を提供する。【解決手段】  底板の両側部に側板、重合側板、両端部に端板、重合端板を順次対称的に連設し、各側板と各端板との間に折込角部を設け、各重合端板の端辺中央部に横長略矩形の切欠を穿設するとともに、切欠の両角部から端板の両角隅に到る斜め折線を設け、各重合端板の両側端部にそれぞれ係止凸部、各重合側板の両側端部に係止用切欠部を設け、各重合側板を各側板に貼着し、折込角部の一方の略三角形部分を各端板に貼着し、重合端板の切欠近傍を各端板中央部近傍に貼着し、各側板を起立させたとき各端板が起立し、各係止凸部と各係止用切欠部との係合により形成される組立紙函。【選択図】        図１
2006273368.tif 000002
【特許請求の範囲】
【請求項１】
矩形状或いは正方形状の底板の両側部に側板、重合側板をそれぞれ順次対称的に連設するとともに、前記底板の両端部に端板、重合端板をそれぞれ順次対称的に連設し、前記各側板と各端板との間にそれぞれ折線で山折りされる二つの略三角形部分からなる折込角部を設けた紙函用ブランク板からなり、
前記各重合端板の端辺中央部にそれぞれ横長略矩形の切欠を穿設するとともに、該切欠のブランク板中央寄りの両角部から前記端板の両角隅に到る斜め折線を設け、前記各重合端板の両側端部にそれぞれ係止凸部を設けるとともに、前記各重合側板の両側端部にそれぞれ前記係止凸部が係合する係止用切欠部を設け、
前記各重合側板をこれに隣接する各側板に貼着し、前記折込角部の一方の略三角形部分をこれに隣接する各端板に貼着し、前記重合端板の端辺中央部の切欠近傍をこれに隣接する各端板中央部近傍に貼着してなり、
前記各側板を起立させたとき前記各端板が起立せしめられ、前記各係止凸部と各係止用切欠部との係合により紙函が形成されるように構成したことを特徴とする組立紙函。
【発明の詳細な説明】
【技術分野】
【０００１】
本発明は、ワンタッチで組立構成可能な二重側壁を有する組立紙函に関する。
【背景技術】
【０００２】
従来、二重側壁を有する組立紙函は、種々の形状・構造のものが開発され実用化されており、組立操作の簡便化等各種の効果を奏するものがある。本出願人も先に、底板、側板、妻板、縁板、重合側板、重合妻板等よりなる箱に於いて、重合側板の両側面部に底板の隅部に折畳貼着可能な隅足部を連設し、重合妻板の両側部に斜折曲線を介して係合足部連設してなり、外隅足部と係合足部を組合せることによって縁付箱をワンタッチ状に組立構成し且つ偏平に折畳み出来ることによって保管及び搬送を容易とすることを可能にしたものを提案している（例えば、特許文献１参照）。
【特許文献１】実開昭５１−７３２３公報
【０００３】
しかしながら、前記公報記載の縁付箱に於いては、図５、従来例の展開平面図にも示すように、外側壁を構成する側板１０２、１０２及び妻板１０８、１０８それぞれすなわち隣接する側壁が折込片により連結されおらず、組立構成された状態では前記側板１０２、１０２及び妻板１０８、１０８それぞれの両側端辺は連続しない突合せ状となっているのみであって、紙箱の外側を構成する四隅部としては、上下方向の圧縮強度に関して不足するものであった。また、同じく展開平面図において、底板１０３の内周縁に表される貼着部分ｅ〜ｇのように、前記底板１０３の内面周縁全域に貼着する必要があり、さらに隅足部Ｐの貼着足１０７の貼着部ｆへの折り曲げ貼着工程が複雑なものとなって、貼着工程の不安定さと時間的制約を生じるものとなっていた。
【０００４】
さらに、組立操作に於いては、貼着片１１１と並列してそれぞれ連設されている重合係止片１１２との間が直線状の切れ目である為に、それぞれの切断面が噛み合って起動しにくかったり、逆に係止状態にあっては重なり合って係止部分の働きを悪くするような状況や、貼りずれによって貼着片１１１への接着が重合係止片１１２部分へはみ出し、該重合係止片１１２が貼着されてしまい可動しなくなるなどの問題点もあった。
【発明の開示】
【発明が解決しようとする課題】
【０００５】
本発明の目的は、上記問題を解決するためになしたものであって、保管及び搬送に於いては偏平に折畳みが出来、使用組立構成時に於いては簡便な操作によって強度を有する連続した側壁の起立形成と安定した係止が可能で、且つ製造工程に於いては貼着工程の省力化が可能で経済性にも優れた組立紙函を提供することにある。
【課題を解決するための手段】
【０００６】
上記課題を解決するため、請求項１の発明は、矩形状或いは正方形状の底板の両側部に側板、重合側板をそれぞれ順次対称的に連設するとともに、前記底板の両端部に端板、重合端板をそれぞれ順次対称的に連設し、前記各側板と各端板との間にそれぞれ折線で山折りされる二つの略三角形部分からなる折込角部を設けた紙函用ブランク板からなり、前記各重合端板の端辺中央部にそれぞれ横長略矩形の切欠を穿設するとともに、該切欠のブランク板中央寄りの両角部から前記端板の両角隅に到る斜め折線を設け、前記各重合端板の両側端部にそれぞれ係止凸部を設けるとともに、前記各重合側板の両側端部にそれぞれ前記係止凸部が係合する係止用切欠部を設け、前記各重合側板をこれに隣接する各側板に貼着し、前記折込角部の一方の略三角形部分をこれに隣接する各端板に貼着し、前記重合端板の端辺中央部の切欠近傍をこれに隣接する各端板中央部近傍に貼着してなり、前記各側板を起立させたとき前記各端板が起立せしめられ、前記各係止凸部と各係止用切欠部との係合により紙函が形成されるように構成したことを特徴とする組立紙函である。
【発明の効果】
【０００７】
本発明の組立紙函は、上述のように構成されているので、保管及び搬送に於いては偏平に折畳みが出来、使用組立構成時に於いては簡便な操作によって強度を有する連続した側壁の起立形成と安定した係止が可能で、且つ製造工程に於いては貼着工程の省力化が可能で経済性にも優れているという効果がある。
【０００８】
また、各重合端板の端辺中央部に横長略矩形の切欠を穿設し、貼着部分と係止遊動部が明確に区画して設けたので、貼りずれによる接着部のはみ出しで発生する係止遊動部の固着や、従来技術において発生していた貼着部近傍切れ目間での切断面の噛み合いによる起動の不具合や係止時の切れ目の重なりによる不具合等が発生しない。さらに、使用後は簡便な操作で偏平な状態に再折畳みができ、廃棄容積を減じることが可能で廃棄性にも優れている
【発明を実施するための最良の形態】
【０００９】
上記本発明につき、図面等を用いて以下に詳述する。図１は本発明に係る組立紙函の実施例の展開平面図。図２は同じく実施例の折畳み貼着された状態を示す平面図。図３（Ａ）は同じく実施例の組立途中の状態を示す部分斜視図。図３（Ｂ）は同じく実施例の組立完了の状態を示す部分斜視図。図４は切欠部分の別展開例を示す部分展開平面図。図５は従来技術の展開平面図である。
【００１０】
図１は本発明に係る組立紙函の実施例の展開平面図で、本実施例において、紙函用ブランク板１は、矩形状の底板２の両側部にそれぞれ順次対称的に連設された側板３、３、重合側板４、４、を有し、また前記底板２の両端部にそれぞれ順次対称的に連設された端板５、５、重合端板６、６を有している。前記各側板３、３と各端板５、５との間の隅角部には、それぞれ、中央部が折線ｂ、ｂ、ｂ、ｂを境界線として山折りされるように構成された二つの略三角形部分からなる折込角部７、７、７、７が設けられている。また、前記各重合端板６、６の端辺中央部にそれぞれ横長略矩形の切欠８、８が穿設され、該切欠８、８のブランク板中央寄りの両角部から前記端板５、５の両角隅に到る斜め折線ａ、ａ、ａ、ａを設けている。また、前記各重合端板６、６の両側端部にそれぞれ係止凸部９、９、９、９を設けるとともに、前記各重合側板４、４の両側端部にそれぞれ前記係止凸部９、９、９、９が係合する係止用切欠部１０、１０、１０、１０を設けている。尚、前記底板２、各側板３、３、各重合側板４、４、各端板５、５、各重合端板６、６および各折込角部７、７、７、７との境界部は、それぞれ折線の刻設によって区画されている。さらに、前記斜め折線ａ、ａ、ａ、ａおよび折線ｂ、ｂ、ｂ、ｂは、それぞれ折り曲げやすくするために破断状の切線が刻設されている。
【００１１】
前述のように構成された紙函用ブランク板１は、重合側板４、４のそれぞれ外側近傍、折込角部７、７、７、７のそれぞれ端板５、５寄り三角形部分および重合端板６、６の端辺中央部に穿設された切欠８、８近傍部分に接着剤を塗布し、折線を用いて折り曲げ、前記重合側板４、４をそれぞれ隣接する側板３、３に側板貼着部分ｃ、ｃで重合貼着し、次いで前記折込角部７、７、７、７の折込角部貼着部分ｄ、ｄ、ｄ、ｄを隣接する端板５、５に貼着し、さらに前記重合端板６、６の端板貼着部分ｅ、ｅをそれぞれ隣接する端板５、５に貼着して、図２に示すように、実施例の折畳み貼着された偏平な状態となる。尚、前記端板貼着部分ｅ、ｅの位置は、図４、切欠部分の別展開例を示す部分展開平面図のように、重合端板５６の端辺中央部に穿設された切欠５８に突設部６２を設けて、底板５２寄りの位置とすることもでき、これによって紙函内側の穿設された切欠部分を小さくし、体裁を良くすることも可能である。
【００１２】
図３（Ａ）は同じく実施例の組立途中の状態を示す部分斜視図で、前述の折畳み貼着状態から、底板２の両側部の重合貼着された側板３、３、重合側板４、４からなる部分を起立させると、その操作に連動して端板５、５および貼着された重合端板６、６からなる部分が起立し、それぞれの部分が前記底板２に垂直となる状態で、前記重合端板６、６両側をそれぞれ端板５、５へ当接させるとともに、係止凸部９、９、９、９をそれぞれ前記重合側板４，４両側端部の係止用切欠部１０、１０、１０、１０に係合させることにより、図３（Ｂ）に示す如く、本実施例の組立が完了する。
【００１３】
本発明に係る組立紙函は、前述の如く組み立てられトレー状に形成されるので、開放したトレーとしての使用が可能であるが、通常、嵌合のための寸法差で設計される蓋函と身函とからなり、身函に物品を収納し、これに蓋函を嵌め合わせた蓋身函として使用される。使用後は、前述した係止凸部と係止用切欠部の係合を解くことにより、速やかに図２に示した偏平な状態とすることができる。
【図面の簡単な説明】
【００１４】
【図１】本発明に係る組立紙函の実施例の展開平面図。
【図２】同じく実施例の折畳み貼着された状態を示す平面図。
【図３】（Ａ）同じく実施例の組立途中の状態を示す部分斜視図。                （Ｂ）同じく実施例の組立完了の状態を示す部分斜視図。
【図４】切欠部分の別展開例を示す部分展開平面図。
【図５】従来技術の展開平面図。
【符号の説明】
【００１５】
１            紙函用ブランク板
２            底板
３            側板
４            重合側板
５            端板
６            重合端板
７            折込角部
８            切欠
９            係止凸部
１０            係止用切欠部
ａ            斜め折線
ｂ            折線
ｃ            側板貼着部分
ｄ            折込角部貼着部分
ｅ            端板貼着部分
【図１】
2006273368.tif 000003
【図２】
2006273368.tif 000004
【図３】
2006273368.tif 000005
【図４】
2006273368.tif 000006
【図５】
2006273368.tif 000007